(57)【要約】【課題】  再生しているテレビジョン放送のコマーシャルの時間を有効に利用すること。【解決手段】  テレビジョン放送受信機は、テレビジョン放送を受信し、映像を再生する受信・再生部１０と、テレビジョン放送に含まれるコマーシャルを検出するＣＭ検出部５９と、映像を出力する処理を実行するメイン処理部６５と、映像を表示する表示装置７３と、ユーザによる操作を受け付ける操作受付部５５と、ＣＭ検出部５９により検出されたコマーシャルの開始から終了までの間に、操作受付部５５によりメイン処理部６５に対する操作が受け付けられた場合、ＣＭ検出部５９により検出されたコマーシャルが終了したときにそのコマーシャルが終了したことを通知するための通知ウィンドウを表示装置７３に表示するウィンドウ制御部６３と、を備える。【選択図】        図１
2008311692.tif 000002
【特許請求の範囲】
【請求項１】
テレビジョン放送を受信し、映像を再生する再生手段と、
テレビジョン放送に含まれるコマーシャルを検出する検出手段と、
前記再生手段とは別に設けられ、映像を出力する処理を実行する処理実行手段と、
ユーザによる操作を受け付ける操作受付手段と、
前記検出手段により検出されたコマーシャルの開始から終了までの間に、前記操作受付手段により前記処理実行手段に対する操作が受け付けられた場合、前記検出手段により検出されたコマーシャルが終了したときに該コマーシャルが終了したことを報知する報知手段と、を備えたテレビジョン放送受信装置。
【請求項２】
映像を表示するための映像信号を出力する映像信号出力手段と、
前記報知手段による報知の後、前記操作受付手段により所定の操作が受け付けられると、前記検出手段により検出されたコマーシャルが開始する前に前記映像信号出力手段より出力されていた映像信号と同じ表示状態の映像信号を前記映像信号出力手段に出力させる復帰手段とをさらに備えた、請求項１に記載のテレビジョン放送受信装置。
【請求項３】
テレビジョン放送を受信し、映像を再生する再生手段と、
テレビジョン放送に含まれるコマーシャルを検出する検出手段と、
前記再生手段とは別に設けられ、映像を出力する処理を実行する処理実行手段と、
前記映像を表示するための映像信号を出力する映像信号出力手段と、
ユーザによる操作を受け付ける操作受付手段と、
前記検出手段により検出されたコマーシャルの開始から終了までの間に前記操作受付手段により前記処理実行手段に対する操作が受け付けられ、その後、前記操作受付手段により所定時間を超えて前記処理実行手段に対する操作が受け付けられることなく、前記検出手段により検出されたコマーシャルが終了した場合、前記検出手段により前記検出されたコマーシャルが開始する前に前記映像信号出力手段より出力されていた映像信号と同じ表示状態の映像信号を前記映像信号出力手段に出力させる復帰手段と、を備えたテレビジョン放送受信装置。
【請求項４】
前記復帰手段は、前記処理実行手段に対する操作が継続されて前記検出手段により検出されたコマーシャルが終了した後、前記操作受付手段により所定の操作が受け付けられると、前記検出手段により検出されたコマーシャルが開始する前に前記映像信号出力手段より出力されていた映像信号と同じ表示状態の映像信号を前記映像信号出力手段に出力させる、請求項３に記載のテレビジョン放送受信装置。
【請求項５】
前記再生手段により再生された映像を記録する録画手段と、
前記録画手段に記録された映像を再生する録画再生手段と、をさらに備え、
前記復帰手段により前記映像信号出力手段がコマーシャルが開始する前に出力していた映像信号と同じ表示状態の映像信号を出力するよう制御されると、前記録画再生手段は、前記録画手段により記録された映像を前記検出手段により検出されたコマーシャルの終了時点から再生し、前記映像信号出力手段は、前記録画再生手段により再生された映像を表示するための映像信号を出力する、請求項２〜４のいずれかに記載のテレビジョン放送受信装置。
【請求項６】
テレビジョン放送を受信し、映像を再生するステップと、
テレビジョン放送に含まれるコマーシャルを検出するステップと、
ユーザによる操作を受け付けるステップと、
前記検出されたコマーシャルの開始から終了までの間に前記再生される映像とは別の映像を出力する処理を実行するための操作が受け付けられた場合、前記検出されたコマーシャルが終了したときに該コマーシャルが終了したことを報知するステップと、を含むテレビジョン放送再生方法。
【請求項７】
テレビジョン放送を受信し、映像を再生するステップと、
テレビジョン放送に含まれるコマーシャルを検出するステップと、
ユーザによる操作を受け付けるステップと、
映像を表示するための映像信号を出力するステップと、
前記検出されたコマーシャルの開始から終了までの間に前記再生される映像とは別の映像を出力する処理を実行するための操作が受け付けられ、その後、所定時間を越えて前記別の映像を出力する処理を実行するための操作が受け付けられることなく、前記検出されたコマーシャルが終了した場合、前記検出されたコマーシャルが開始したときに前記映像信号出力するステップにおいて出力されていた映像信号と同じ表示状態の映像信号を出力するステップと、を含むテレビジョン放送再生方法。
【請求項８】
テレビジョン放送を受信し、映像を再生するステップと、
テレビジョン放送に含まれるコマーシャルを検出するステップと、
ユーザによる操作を受け付けるステップと、
前記検出されたコマーシャルの開始から終了までの間に前記再生される映像とは別の映像を出力する処理を実行するための操作が受け付けられた場合、前記検出されたコマーシャルが終了したときに該コマーシャルが終了したことを報知するステップと、をコンピュータに実行させるテレビジョン放送再生プログラム。
【請求項９】
テレビジョン放送を受信し、映像を再生するステップと、
テレビジョン放送に含まれるコマーシャルを検出するステップと、
ユーザによる操作を受け付けるステップと、
映像を表示するための映像信号を出力するステップと、
前記検出されたコマーシャルの開始から終了までの間に前記再生される映像とは別の映像を出力する処理を実行するための操作が受け付けられ、その後、所定時間を越えて前記別の映像を出力する処理を実行するための操作が受け付けられることなく、前記検出されたコマーシャルが終了した場合、前記検出されたコマーシャルが開始したときに前記映像信号出力するステップにおいて出力されていた映像信号と同じ表示状態の映像信号を出力するステップと、をコンピュータに実行させるテレビジョン放送再生プログラム。
【発明の詳細な説明】
【技術分野】
【０００１】
この発明は、テレビジョン放送受信装置、テレビジョン放送再生方法およびテレビジョン放送再生プログラムに関し、特にコマーシャルを含むテレビジョン放送を受信するテレビジョン放送受信装置、そのテレビジョン放送受信装置で実行されるテレビジョン放送再生方法およびテレビジョン放送再生プログラムに関する。
【背景技術】
【０００２】
近年、テレビ放送を視聴している時のコマーシャル（以下「ＣＭ」という）の視聴を望まない視聴者が多く、視聴を回避したいという要求がある。このため、視聴者は、視聴しているチャンネルが番組本編からＣＭに切換わると他のチャンネルの番組をザッピングする場合がある。
【０００３】
一方、特開平０５−３１６４４０号公報（特許文献１）、特開平１０−５１７０６号公報（特許文献２）、特開２００３−２１９３０７号公報（特許文献３）では、現在視聴中のチャンネルが番組本編からＣＭに切換わったことを検出すると、他のチャンネルの映像を一定時間、もしくは他のチャンネルの静止画像を順次表示し、もともと視聴していたチャンネルがＣＭから番組本編に切換わったことを検出すると自動的にもとのチャンネルに切換える技術が記載されている。
【０００４】
しかしながら、もともと視聴していたチャンネルがＣＭから番組本編に切換わっても、現在視聴中のチャンネルをそのまま継続して視聴したい場合がある。この場合にはもとに視聴していたチャンネルに自動的に切換えられると、別のチャンネルに再度切換えなければならず、時には重要な場面を見逃してしまう場合がある。
【０００５】
一方近年では、テレビジョン放送受信装置を備えたパーソナルコンピュータ（以下「ＰＣ」という）が登場しており、ＰＣでテレビジョン放送を視聴中に番組本編からＣＭに切換わると、ホームページ（Ｗｅｂページ）のブラウジングや電子メールの送受信等の他の作業をする場合がある。この場合においても上述したのと同様の問題が発生する。具体的には、ＰＣのユーザは、視聴しているチャンネルがＣＭ中に他の作業をしている間は、以下の２つを要求する場合がある。
（１）電子メール作成や文書作成などの作業は思いついたことを記録するものがあり、思いついたことを忘れてしまわないよう作業を中断したくない。
（２）Ｗｅｂページ等の閲覧するコンテンツのようにテレビジョン放送の番組以外のコンテンツの方に、それまで見ていたテレビジョン放送の番組よりも興味を持ち、そのままテレビジョン放送の番組以外のコンテンツを閲覧もしくは視聴し続けたい。
【０００６】
したがって、ＣＭ中にテレビジョン放送を視聴するプログラムとは別のプログラムをアクティブにして、別のプログラムが実行されることによる作業を望む場合があり、この場合にテレビジョン放送を視聴するプログラムが自動的にアクティブになると、別のプログラムを再度アクティブにする操作をしなければならないといった問題がある。
【特許文献１】特開平０５−３１６４４０号公報
【特許文献２】特開平１０−５１７０６号公報
【特許文献３】、特開２００３−２１９３０７号公報
【発明の開示】
【発明が解決しようとする課題】
【０００７】
この発明は上述した問題点を解決するためになされたもので、この発明の目的の一つは、再生しているテレビジョン放送のコマーシャルの時間を有効に利用することが可能なテレビジョン放送受信装置を提供することである。
【０００８】
この発明の他の目的は、再生しているテレビジョン放送のコマーシャルの時間を有効に利用することが可能なテレビジョン放送再生方法およびテレビジョン放送再生プログラムを提供することである。
【課題を解決するための手段】
【０００９】
上述した目的を達成するためにこの発明のある局面によれば、テレビジョン放送受信装置は、テレビジョン放送を受信し、映像を再生する再生手段と、テレビジョン放送に含まれるコマーシャルを検出する検出手段と、再生手段とは別に設けられ、映像を出力する処理を実行する処理実行手段と、ユーザによる操作を受け付ける操作受付手段と、検出手段により検出されたコマーシャルの開始から終了までの間に、操作受付手段により処理実行手段に対する操作が受け付けられた場合、検出手段により検出されたコマーシャルが終了したときに該コマーシャルが終了したことを報知する報知手段と、を備える。
【００１０】
この局面に従えば、テレビジョン放送に含まれるコマーシャルが検出され、検出されたコマーシャルの開始から終了までの間に、テレビジョン放送とは別の映像を出力する処理を実行させるための操作が受け付けられた場合、コマーシャルが終了したときに該コマーシャルが終了したことが報知される。このため、テレビジョン放送がコマーシャル中にそのテレビジョン放送の映像とは別の映像を、コマーシャルが終了した後に継続して見ることができるととともに、再生されていたテレビジョン放送のコマーシャルが終了したことをユーザに報知することができる。したがって、ユーザは、テレビジョン放送のコマーシャル中に視聴を中断したテレビジョン放送の映像を再度視聴するタイミングを容易に決定することができる。その結果、再生しているテレビジョン放送のコマーシャルの時間を有効に利用することが可能なテレビジョン放送受信装置を提供することができる。
【００１１】
好ましくは、映像を表示するための映像信号を出力する映像信号出力手段と、報知手段による報知の後、操作受付手段により所定の操作が受け付けられると、検出手段により検出されたコマーシャルが開始する前に映像信号出力手段より出力されていた映像信号と同じ表示状態の映像信号を前記映像信号出力手段に出力させる復帰手段とをさらに備える。
【００１２】
この局面に従えば、報知の後、所定の操作が受け付けられると、検出されたコマーシャルが開始する前に出力されていた映像信号と同じ表示状態の映像信号が出力される。このため、テレビジョン放送の映像を簡単な操作で表示させることができる。
【００１３】
この発明の他の局面に従えば、テレビジョン放送受信装置は、テレビジョン放送を受信し、映像を再生する再生手段と、テレビジョン放送に含まれるコマーシャルを検出する検出手段と、再生手段とは別に設けられ、映像を出力する処理を実行する処理実行手段と、映像を表示するための映像信号を出力する映像信号出力手段と、ユーザによる操作を受け付ける操作受付手段と、検出手段により検出されたコマーシャルの開始から終了までの間に操作受付手段により処理実行手段に対する操作が受け付けられ、その後、操作受付手段により所定時間を超えて処理実行手段に対する操作が受け付けられることなく、検出手段により検出されたコマーシャルが終了した場合、検出手段により検出されたコマーシャルが開始したときに映像信号出力手段より出力されていた映像信号と同じ表示状態の映像信号を映像信号出力手段に出力させる復帰手段と、を備える。
【００１４】
この局面に従えば、テレビジョン放送に含まれるコマーシャルが検出され、検出されたコマーシャルの開始から終了までの間に、テレビジョン放送とは別の映像を出力するための操作が受け付けられ、その後、所定時間を超えて別の映像を出力する処理を実行するための操作が受け付けられることなく、コマーシャルが終了した場合、コマーシャルが検出されたときに出力されていた映像信号と同じ表示状態の映像信号が出力される。このため、ユーザは、テレビジョン放送のコマーシャル中にテレビジョン放送とは別の映像を出力する処理を実行するための操作を継続すれば、テレビジョン放送の映像とは別の映像を見ることができ、テレビジョン放送とは別の映像を出力するための操作を所定時間しなければ、テレビジョン放送のコマーシャルが終了したときにテレビジョン放送の映像を見ることができる。その結果、再生しているテレビジョン放送のコマーシャルの時間を有効に利用することが可能なテレビジョン放送受信装置を提供することができる。
【００１５】
好ましくは、復帰手段は、処理実行手段に対する操作が継続されて検出手段により検出されたコマーシャルが終了した後、操作受付手段により所定の操作が受け付けられると、検出手段により検出されたコマーシャルが開始したときに映像信号出力手段より出力されていた映像信号と同じ表示状態の映像信号を映像信号出力手段に出力させる。
【００１６】
この局面に従えば、再生されたテレビジョン放送の映像とは別の映像を出力するための操作が継続されてコマーシャルが終了した後は、テレビジョン放送の映像とは別の映像を出力するための操作を継続することができるが、その後所定の操作が受け付けられると、検出されたコマーシャルが開始する前に出力されていた映像信号と同じ表示状態の映像信号が出力される。このため、テレビジョン放送の映像を簡単な操作で表示させることができる。
【００１７】
好ましくは、再生手段により再生された映像を記録する録画手段と、録画手段に記録された映像を再生する録画再生手段と、をさらに備え、復帰手段により映像信号出力手段がコマーシャルが開始する前に出力していた映像信号と同じ表示状態の映像信号を出力するよう制御されると、録画再生手段は、録画手段により記録された映像を検出手段により検出されたコマーシャルの終了時点から再生し、映像信号出力手段は、録画再生手段により再生された映像を表示するための映像信号を出力する。
【００１８】
この局面に従えば、コマーシャルが開始する前に出力されていた映像信号と同じ表示状態の映像信号が出力されると、記録された映像が、コマーシャルの終了時点から再生され、再生された映像を表示するための映像信号が出力される。このため、コマーシャルの終了時点からテレビジョン放送の映像が表示されるので、テレビジョン放送の映像が途切れるのを回避することができる。
【００１９】
この発明のさらに他の局面に従えば、テレビジョン放送再生方法は、テレビジョン放送を受信し、映像を再生するステップと、テレビジョン放送に含まれるコマーシャルを検出するステップと、ユーザによる操作を受け付けるステップと、検出されたコマーシャルの開始から終了までの間に再生される映像とは別の映像を出力する処理を実行するための操作が受け付けられた場合、検出されたコマーシャルが終了したときに該コマーシャルが終了したことを報知するステップと、を含む。
【００２０】
この局面に従えば、再生しているテレビジョン放送のコマーシャルの時間を有効に利用することが可能なテレビジョン放送再生方法を提供することができる。
【００２１】
この発明のさらに他の局面に従えば、テレビジョン放送再生方法は、テレビジョン放送を受信し、映像を再生するステップと、テレビジョン放送に含まれるコマーシャルを検出するステップと、ユーザによる操作を受け付けるステップと、映像を表示するための映像信号を出力するステップと、検出されたコマーシャルの開始から終了までの間に再生される映像とは別の映像を出力する処理を実行するための操作が受け付けられ、その後、所定時間を越えて別の映像を出力する処理を実行するための操作が受け付けられることなく、検出されたコマーシャルが終了した場合、検出されたコマーシャルが開始したときに映像信号出力するステップにおいて出力されていた映像信号と同じ表示状態の映像信号を出力するステップと、を含む。
【００２２】
この局面に従えば、再生しているテレビジョン放送のコマーシャルの時間を有効に利用することが可能なテレビジョン放送再生方法を提供することができる。
【００２３】
この発明のさらに他の局面に従えば、テレビジョン放送再生プログラムは、テレビジョン放送を受信し、映像を再生するステップと、テレビジョン放送に含まれるコマーシャルを検出するステップと、ユーザによる操作を受け付けるステップと、検出されたコマーシャルの開始から終了までの間に再生される映像とは別の映像を出力する処理を実行するための操作が受け付けられた場合、検出されたコマーシャルが終了したときに該コマーシャルが終了したことを報知するステップと、をコンピュータに実行させる。
【００２４】
この局面に従えば、再生しているテレビジョン放送のコマーシャルの時間を有効に利用することが可能なテレビジョン放送再生プログラムを提供することができる。
【００２５】
この発明のさらに他の局面によれば、テレビジョン放送再生プログラムは、テレビジョン放送を受信し、映像を再生するステップと、テレビジョン放送に含まれるコマーシャルを検出するステップと、ユーザによる操作を受け付けるステップと、映像を表示するための映像信号を出力するステップと、検出されたコマーシャルの開始から終了までの間に再生される映像とは別の映像を出力する処理を実行するための操作が受け付けられ、その後、所定時間を越えて別の映像を出力する処理を実行するための操作が受け付けられることなく、検出されたコマーシャルが終了した場合、検出されたコマーシャルが開始したときに映像信号出力するステップにおいて出力されていた映像信号と同じ表示状態の映像信号を出力するステップと、をコンピュータに実行させる。
【００２６】
この局面に従えば、再生しているテレビジョン放送のコマーシャルの時間を有効に利用することが可能なテレビジョン放送再生プログラムを提供することができる。
【発明を実施するための最良の形態】
【００２７】
以下、図面を参照しつつ、本発明の実施の形態について説明する。以下の説明では、同一の部品には同一の符号を付してある。それらの名称および機能も同じである。したがってそれらについての詳細な説明は繰返さない。
【００２８】
＜第１の実施の形態＞
図１は、本発明の第１の実施の形態におけるテレビジョン放送受信機の機能の概要を示す機能ブロック図である。図１を参照して、テレビジョン放送受信機１は、テレビジョン放送受信機１の全体を制御するための中央演算装置（ＣＰＵ）５１と、テレビジョン放送を受信し、再生する受信・再生部１０と、映像出力部２１と、表示装置７３と、音声出力部７１と、音声出力部に接続されるスピーカ７５と、カードＩ／Ｆ２３と、記録部２７と、大容量記憶装置としてのハードディスクドライブ（ＨＤＤ）３１と、入力装置６７と、を含む。
【００２９】
受信・再生部１０は、チューナ１１と、復調部１３と、デスクランブル処理部１５と、デマルチプレクス処理部１７と、デコード部１９と、を含む。チューナ１１は、ＣＰＵ５１により制御され、テレビジョン放送の放送波を受信し、放送信号を復調部１３に出力する。チューナ１１は、ＣＰＵ５１により指示された周波数（チャンネル）のテレビジョン放送の放送波を受信する。復調部１３は、入力される放送信号をＭＰＥＧ２−ＴＳ形式等の符号化信号に復調し、符号化信号をデスクランブル処理部１５に出力する。
【００３０】
デスクランブル処理部１５は、復調部１３と接続され、復調部１３から符号化信号が入力される。符号化信号はスクランブルされているため、デスクランブル処理部１５は、復調部１３から入力される符号化信号を、所定の規則に従って符号化信号のスクランブルを解除する。そして、スクランブルが解除された符号化信号をデマルチプレクス処理部１７に出力する。
【００３１】
デマルチプレクス処理部１７は、デスクランブル処理部１５から符号化信号が入力される。この符号化信号は、映像データと、音声データとがパケット化されたデータであり、時分割多重されている。デマルチプレクス処理部１７は、入力されるパケットを順に処理し、デジタルの映像データおよび音声データを生成し、デコード部１９に出力する。
【００３２】
デコード部１９は、デマルチプレクス処理部１７と接続され、デマルチプレクス処理部１７からデジタルの映像データと音声データとが入力される。デコード部１９は、デジタルの映像データと音声データとをそれぞれ復号し、復号された映像データを映像出力部２１およびＣＰＵ５１に出力し、復号された音声データを音声出力部７１およびＣＰＵ５１に出力する。
【００３３】
映像出力部２１は、デジタルの映像データをアナログの映像信号に変換し、アナログの映像信号をＣＰＵ５１に出力する。
【００３４】
ＣＰＵ５１は、チューナ１１を制御するためのチューナ制御部５３と、ユーザが入力する操作を受け付けるための操作受付部５５と、映像信号または音声信号からＣＭを検出するためのＣＭ検出部５９と、映像および音声の出力を制御するための出力制御部６１と、表示装置７３に表示する少なくとも１つのウィンドウの表示を制御するためのウィンドウ制御部６３と、アプリケーションプログラムを実行して処理を実行するためのメイン処理部６５と、を含む。
【００３５】
ＣＰＵ５１は、カードＩ／Ｆ２３と接続されている。カードＩ／Ｆ２３は、ＩＣカード２５が装着可能である。ＩＣカード２５は、フラッシュＲＯＭなどの半導体メモリを備える。ＣＰＵ５１は、カードＩ／Ｆ２３に記憶されたテレビジョン放送再生プログラムを読出し、実行する。なお、ＣＰＵ５１が実行するテレビジョン放送再生プログラムを記憶する記録媒体は、ＩＣカード２５に限られず、フレキシブルディスク、カセットテープ、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等の媒体でもよい。ここでいうプログラムは、ＣＰＵ５１が直接実行可能なプログラムだけでなく、ソースプログラム、圧縮処理されたプログラム、暗号化されたプログラム等を含む。
【００３６】
操作受付部５５は、入力装置６７と無線または有線で接続され、ユーザが入力装置６７に入力する操作を受け付ける。入力装置６７は、文字や記号を入力するためのキーボードまたはマウス等のポインティングデバイスである。また、入力装置６７は、リモートコントローラであってもよい。操作受付部５５は、受け付けた操作を、チューナ制御部５３、出力制御部６１およびメイン処理部６５に出力する。
【００３７】
チューナ制御部５３は、操作受付部５５からチャンネルを選択する操作が入力されると、チューナ１１で受信するテレビジョン放送のチャンネル（周波数）をチューナ１１に出力する。これにより、チューナ１１で、ユーザが指示したチャンネルの周波数のテレビジョン放送の放送波が受信される。
【００３８】
メイン処理部６５は、ＨＤＤ３１に記憶されたアプリケーションプログラムをＲＡＭ（Ｒａｎｄｏｍ  Ａｃｃｅｓｓ  Ｍｅｍｏｒｙ）にロードし、アプリケーションプログラムを実行する。アプリケーションプログラムは、特に限定しないが、例えば、電子メールの編集、送信、受信および表示をする電子メールプログラム、インターネットのＷｅｂページを閲覧するためのブラウジングプログラム、文書を作成するための文書作成プログラム、表計算プログラム、図形または絵を作成するための図形作成プログラム等である。また、メイン処理部６５が実行するアプリケーションプログラムは、ＨＤＤ３１に記憶されたアプリケーンプログラムに限定されず、ＩＣカード２５に記憶されたアプリケーションプログラムであってもよい。この場合、メイン処理部６５は、カードＩ／Ｆ２３を介してＩＣカード２５に記憶されたアプリケーションプログラムを読み出す。
【００３９】
ここでは、メイン処理部６５がアプリケーションプログラムとしての電子メールプログラムを実行する場合を例に説明する。メイン処理部６５は、操作受付部５５から電子メールプログラムの起動指示が入力されると、電子メールプログラムを実行する。そして、電子メールプログラムを実行することにより、電子メールを編集するための電子メール編集画面、受信した電子メールを表示する電子メール表示画面等のアプリケーション画面をウィンドウ制御部６３に出力する。アプリケーション画面は、動画および静止画を含む映像である。従って、メイン処理部６５は、映像を出力する処理を実行する。また、メイン処理部６５は、電子メールプログラムを実行することにより出力する音声を、音声出力部７１に出力する。
【００４０】
ウィンドウ制御部６３は、映像出力部２１からアナログの映像信号が入力され、メイン処理部６５からアプリケーション画面が入力される。ウィンドウ制御部６３は、映像出力部２１から入力される映像信号を表示するためのウィンドウ（以下「テレビジョンウィンドウ」という）と、アプリケーション画面を表示するためのウィンドウ（以下「アプリケーションウィンドウ」という）と、を表示するための表示用画面を生成し、表示用画面を表示装置７３に出力する。これにより、表示装置７３に表示用画面が表示される。表示用画面は、表示装置７３に映像を表示するための映像信号である。表示装置７３は、液晶表示装置（ＬＣＤ）、有機ＥＬ（ＥｌｅｃｔｒｏＬｕｍｉｎｅｓｃｅｎｃｅ）ディスプレイ、またはプラズマディスプレイパネル等である。
【００４１】
ウィンドウ制御部６３は、出力制御部６１から入力される指示に従って、複数のウィンドウのうち１つをアクティブにして、他のウィンドウを非アクティブにする。アクティブのウィンドウは、非アクティブのウィンドウに優先して表示される。例えば、２つのウィンドウが重なる場合には、アクティブのウィンドウが非アクティブのウィンドウより上面に表示される。また、非アクティブのウィンドウのサイズが最小化されている場合に、アクティブになると最小化される前のアクティブのときのサイズで表示される。
【００４２】
アクティブのウィンドウは、そのウィンドウに表示される情報を生成するプログラムに対し、ユーザインターフェースが有効になる。このため、操作受付部５５は、アプリケーションウィンドウがアクティブのときに入力装置６７から入力される操作をメイン処理部６５に出力し、テレビジョンウィンドウがアクティブのときに入力装置６７から入力される操作を出力制御部６１またはチューナ制御部５３に出力する。
【００４３】
例えば、テレビジョンウィンドウがアクティブの場合、チャンネル切換、音量の増減等の指示を入力することができ、放送信号の音声がスピーカ７５から出力される。また、アプリケーションウィンドウがアクティブの場合、電子メールの作成のための文字の入力が可能となり、電子メールプログラムが生成する音がスピーカ７５から出力される。
【００４４】
音声出力部７１は、デコード部１９およびメイン処理部６５からデジタルの音声データが入力される。音声出力部７１は、デジタルの音声信号をアナログの音声信号に変換し、音声信号をスピーカ７５に出力する。音声出力部７１は、出力制御部６１から入力される指示に従って、デコード部１９から入力される音声データを変換したテレビジョン音声信号と、メイン処理部６５から入力される音声データを変換したアプリケーション音声信号のいずれか一方、または、両方をミキシングした音声信号を、スピーカ７５に出力する。これにより、スピーカ７５からテレビジョン放送の音声または／およびアプリケーションプログラムが出力する音声が出力される。
【００４５】
ＣＭ検出部５９は、デコード部１９から映像信号および音声信号が入力され、映像信号または音声信号からＣＭを検出する。音声信号または映像信号からＣＭを検出する技術としては、周知の技術を用いることができる。但し、ここでは、ＣＭ検出部５９は、音声信号または映像信号からリアルタイムにＣＭを検出する場合を例に説明する。ＣＭ検出部５９は、音声信号または映像信号からＣＭの開始時と終了時とを検出し、番組本編からＣＭへの切換わりを示すＣＭ開始信号と、ＣＭから番組本編への切換わりを示すＣＭ終了信号とを出力制御部６１に出力する。
【００４６】
出力制御部６１は、ウィンドウ制御部６３が表示する複数のウィンドウのいずれをアクティブにするかを決定する。ここでは、テレビジョンウィンドウとアプリケーションウィンドウとのいずれかを選択し、選択したウィンドウをアクティブにする。また、音声出力部７１には、テレビジョン音声信号とアプリケーション音声信号のいずれか一方を出力するか、または、両方をミキシングした音声信号を出力するかを指示する。
【００４７】
また、出力制御部６１は、ＣＭ検出部５９からＣＭ開始信号およびＣＭ終了信号が入力され、操作受付部５５からユーザによる操作が入力される。出力制御部６１は、テレビジョン放送が再生されているとき、特に、ウィンドウ制御部６３がテレビジョンウィンドウをアクティブにしているときに、ＣＭ開始信号が入力されると、その後操作受付部５５からメイン処理部６５に対する操作が入力されたか否かを判断する。メイン処理部６５に対する操作は、例えば、アプリケーションプログラムの実行を指示する操作、メイン処理部６５がアプリケーションプログラムを実行している場合には、アプリケーション画面を表示するためのウィンドウをアクティブにする操作等である。また、アクティブのテレビジョンウィンドウを最小化するなどして非アクティブにする操作をすれば、非アクティブのウィンドウが代わりにアクティブになるので、テレビジョンウィンドウを非アクティブにする操作もメイン処理部６５に対する操作に含まれる。
【００４８】
出力制御部６１は、ＣＭ開始信号が入力された後に操作受付部５５からメイン処理部６５に対する操作が入力されると、その後ＣＭ終了信号が入力された時点で、ウィンドウ制御部６３にＣＭが終了したことを報知するためのウィンドウ（以下「通知ウィンドウ」という）を表示する。このため、ユーザは、アプリケーションプログラムを実行させ、電子メールの編集、送信、受信または閲覧処理をしている最中に、ＣＭが終了したことを知ることができる。その時、電子メールの編集、送信、受信または閲覧処理を継続したければ、そのまま作業を継続することができる。一方、電子メールの編集、送信、受信または閲覧処理を中断して、テレビジョン放送の番組を視聴することを望むならば、テレビジョンウィンドウをアクティブにする操作を入力装置６７に入力すればよい。
【００４９】
なお、ＣＭが終了したことを報知するための通知ウィンドウは、ポップアップウィンドウ等、アプリケーションウィンドウとは別の場所に表示することが望ましい。アプリケーションウィンドウの一部が報知するためのウィンドウで隠されて、アプリケーション画面が見づらくなるのを防止するためである。
【００５０】
図２は、テレビジョン放送再生処理の流れの一例を示す第１のフローチャートである。テレビジョン放送再生処理は、ＣＰＵ５１がテレビジョン放送再生プログラムを実行することにより、ＣＰＵ５１により実行される処理である。このテレビジョン放送再生処理は、ユーザが入力装置６７にテレビジョン放送の再生を指示する操作を入力することにより実行される。図２を参照して、ＣＰＵ５１は、テレビジョン放送を再生する（ステップＳ０１）。この時点で、テレビジョンウィンドウが表示装置７３に表示され、アクティブされる。そして、ＣＭを検出したか否かを判断する（ステップＳ０２）。ＣＭを検出したならば処理をステップＳ０３に進めるが、そうでなければ処理をステップＳ０１に戻す。
【００５１】
ステップＳ０３においては、ＣＭを検出した時点の表示状態を記憶する。ＣＭを検出した時点の表示状態は、テレビジョン放送の映像信号を表示するためのウィンドウがアクティブの状態である。さらに、テレビジョン放送の映像信号を表示するためのウィンドウのサイズおよび位置を表示状態に含めるようにしてもよい。
【００５２】
ステップＳ０４においては、操作が受け付けられたか否かを判断する。操作が受け付けられたならば処理をステップＳ０６に進め、そうでなければ処理をステップＳ０５に進める。ステップＳ０５においては、ＣＭの終了を検出したか否かを判断する。ＣＭの終了を検出したならば処理をステップＳ０１に戻し、そうでなければ処理をステップＳ０４に戻す。すなわち、ＣＭが検出されてから操作を受け付けることなくＣＭが終了した場合には処理をステップＳ０１に戻す。ＣＭが検出されてから１度でも操作が受け付けられた場合は、処理をステップＳ０６に進める。
【００５３】
ステップＳ０６においては、受け付けられた操作が電子メールに関する操作か否かを判断する。電子メールに関する操作が受け付けられたならば処理をステップＳ０７に進めるが、そうでなければ処理をステップＳ０５に進める。電子メールに関する操作は、アプリケーションウィンドウをアクティブにする操作である。アプリケーションウィンドウをアクティブにする操作は、その時アクティブのテレビジョンウィンドウを最小化する操作を含む。テレビジョンウィンドウが最小化されることによりアプリケーションウィンドウがアクティブになるからである。また、アプリケーションウィンドウをアクティブにする操作は、例えば、電子メールプログラムを起動するための操作、電子メールプログラムが実行されている場合には、電子メールを編集するための電子メール編集画面、受信した電子メールを表示する電子メール表示画面等を表示するためのアプリケーションウィンドウをアクティブにする操作、またはアプリケーションウィンドウに対する操作を含む。アプリケーションウィンドウに対する操作は、電子メールを編集する操作を含む。
【００５４】
受け付けられた操作が電子メールに関する操作でない操作は、テレビジョンウィンドウがアクティブなので、例えば、音量を増減する操作を含む。この場合は、処理をステップＳ０５に進める。ＣＭが検出されてから操作を受け付けることなくＣＭが終了する場合と同様に、処理をステップＳ０１に戻す。
【００５５】
ステップＳ０７においては、受け付けられた操作に応じた処理を実行する。これにより、アプリケーションウィンドウがアクティブになる。ここでは、電子メールを作成、送信、受信または閲覧する処理が実行される。
【００５６】
次のステップＳ０８においては、ＣＭの終了を検出したか否かを判断する。ＣＭの終了を検出したならば処理をステップＳ０９に進めるが、そうでなければステップＳ０９をスキップして処理をステップＳ１０に進める。ステップＳ０９においては、ＣＭが終了したことをユーザに報知する。具体的には、ＣＭが終了したことを報知するためのウィンドウを表示装置７３に表示する。このため、ユーザは、アプリケーションプログラムを実行させ、電子メールの編集、送信、受信または閲覧処理をしている最中に、ＣＭが終了したことを知ることができる。その時、電子メールの編集、送信、受信または閲覧処理を継続したければ、そのまま作業を継続することができる。
【００５７】
次に、操作が受け付けられたか否かを判断する。操作が受け付けられたならば（ステップＳ１０でＹＥＳ）処理をステップＳ１１に進め、操作が受け付けられなければ（ステップＳ１０でＮＯ）処理をステップＳ０８に戻す。ステップＳ１１においては、受け付けられた操作が、戻るキーの押下か否かを判断する。戻るキーは、入力装置６７に予め設けられたキーである。戻るキーが押下されたならば処理をステップＳ１３に進め、そうでなければ処理をステップＳ１２に進める。
【００５８】
ステップＳ１３においては、ステップＳ０３において記憶された表示状態を読出し、読み出した表示状態で表示装置７３にウィンドウを表示する。これにより、例えば、テレビジョンウィンドウが、ＣＭが開始する直前に配置されていた位置にその時のサイズで表示される。電子メールの編集、送信、受信または閲覧処理を中断して、テレビジョン放送の番組を視聴することを望む場合、戻るキーを押下する簡単な操作で、テレビジョン放送の映像信号を表示するためのウィンドウをアクティブにすることができる。
【００５９】
一方、ステップＳ１２においては、受け付けられた操作がテレビジョン放送の再生を終了させる指示か否かを判断する。テレビジョン放送再生終了指示は、入力装置６７に予め設けられたキーが押下されることにより検出する。受け付けられた操作がテレビジョン放送再生終了指示ならば、テレビジョン放送の再生を終了し、処理を終了する。受け付けられた操作がテレビジョン放送再生終了指示でなければ処理をステップＳ０７に戻す。これにより、受け付けられた操作に従って、電子メールを作成、送信、受信または閲覧する処理が実行される。従って、戻るキーが押下されるまで、電子メールを作成、送信、受信または閲覧する処理が実行され、戻るキーが押下されると、テレビジョン放送の映像信号を表示するためのウィンドウがアクティブになり、ＣＭの開始する直前のサイズおよび位置で表示される。
【００６０】
図３は、ウィンドウ切り換えのタイムチャートの一例を示す第１の図である。図４（Ａ）〜図４（Ｄ）は、表示画面の一例を示す図である。図３において、横軸に時間を表し、テレビジョンウィンドウと、第１および第２アプリケーションウィンドウと、通知ウィンドウについて、アクティブな時間帯をハッチングで示している。
【００６１】
図３を参照して、最初にテレビジョンウィンドウがアクティブな状態で、時刻Ｔ１にＣＭが開始する。この時の表示画面の一例を図４（Ａ）に示す。表示画面２０１は、テレビジョンウィンドウ２０３と、第１アプリケーションウィンドウ２０５とを含む。第１アプリケーションウィンドウ２０５は、電子メールプログラムのメイン画面を表示する。テレビジョンウィンドウ２０３と、第１アプリケーションウィンドウ２０５とは、それらの一部が重なっているが、テレビジョンウィンドウ２０３がアクティブなので、アプリケーションウィンドウ２０５の上面に表示される。
【００６２】
時刻Ｔ１の後、時刻Ｔ２にテレビジョンウィンドウを最小化する操作が入力されると、テレビジョンウィンドウが最小化されるとともに、その時起動している電子メールプログラムのメイン画面を表示するための第１アプリケーションウィンドウがアクティブになる。この時の表示画面を図４（Ｂ）に示す。図中点線で示すテレビジョンウィンドウ２０３が最小化されると、表示画面下方にアイコン２０３Ａとして表示される。なお、図中の点線は、テレビジョンウィンドウ２０３が表示されていた領域を説明するために付したもので実際には存在しない。
【００６３】
次に、時刻Ｔ３において、新規メールを作成する指示が入力されると、電子メール作成用の画面を表示するための第２アプリケーションウィンドウが表示され、アクティブになる。この時の表示画面を図４（Ｃ）に示す。第２アプリケーションウィンドウ２０７が、第１アプリケーションウィンドウ制２０５の上面に表示される。
【００６４】
次の時刻Ｔ４において、ＣＭが終了すると、ＣＭの終了を通知するための通知ウィンドウがポップアップ表示される。この時の表示画面を、図４（Ｄ）に示す。表示画面２０１の右下方に「ＣＭ終了」の文字を表示する通知ウィンドウ２０９が表示される。
【００６５】
時刻Ｔ３の後、ユーザが時刻Ｔ４で戻るキーを押下すれば、テレビジョンウィンドウがアクティブになり、最小化されていたテレビジョンウィンドウが時刻Ｔ２以前に表示されていたサイズおよび位置で表示される。このとき、通知ウィンドウを閉じる。テレビジョンウィンドウがアクティブになった後は、表示しておく必要がないからである。この時の表示画面を図４（Ｅ）に示す。テレビジョンウィンドウ２０３が、図４（Ａ）の表示画面２０１で表示画面に配置されていた位置にその時のサイズで表示される。テレビジョンウィンドウ２０３と、第１アプリケーションウィンドウ２０５と、第２アプリケーションウィンドウ２０７とが重なっているが、テレビジョンウィンドウ２０３がアクティブなので、最も上面に表示される。
【００６６】
図５（Ａ）および図５（Ｂ）は、テレビジョンウィンドウがアクティブでない場合の別の表示例を示す図である。テレビジョンウィンドウは、非アクティブにする操作が入力されると、非アクティブになる。この場合、他のアプリケーションウィンドウ、ここでは第１アプリケーションウィンドウ２０５がアクティブになる。図５（Ａ）を参照して、表示画面２０１は、テレビジョンウィンドウ２０３を第１アプリケーションウィンドウ２０５の背面に表示する。図５（Ｂ）は、テレビジョンウィンドウ２０３のサイズを小さくし、第１アプリケーションウィンドウ２０５と重ならないように表示画面２０１の右上端に表示する。
【００６７】
＜変形例＞
上述した第１の実施の形態におけるテレビジョン放送受信機１は、ユーザが入力する操作、具体的には戻るキーの押下によりテレビジョンウィンドウをアクティブにするようにしたが、変形例におけるテレビジョン放送受信機１は、ＣＭの開始後、メイン処理部６５に対する操作、具体的には、電子メールに関する操作が所定時間Ｔ以上されなかった場合に、自動的にテレビジョンウィンドウをアクティブにするようにする。所定時間Ｔ以上操作がなければ、電子メールプログラムにより実行される処理、例えば電子メールを作成する処理が終了しているか、またはその処理が中断しているものと考えられる。このような場合に、テレビジョンウィンドウをアクティブにすることにより、番組本編を見逃してしまうことがないようにすることができる。
【００６８】
図６は、テレビジョン放送再生処理の流れの一例を示す第２のフローチャートである。図６に示すテレビジョン放送再生処理は、変形例におけるテレビジョン放送受信機１が備えるＣＰＵ５１がテレビジョン放送再生プログラムを実行することにより、ＣＰＵ５１により実行される処理である。このテレビジョン放送再生処理は、ユーザが入力装置６７にテレビジョン放送の再生を指示する操作を入力することにより実行される。図６を参照して、図２に示したテレビジョン放送再生処理と異なる点は、ステップＳ０３Ａ、ステップＳ０４Ａ、ステップＳ０８ＡおよびステップＳ１０Ａが追加された点である。その他の処理は図２に示したのと同じなので、ここでは、異なる点を主に説明する。
【００６９】
ステップＳ０３において、ＣＭを検出した時点の表示状態が記憶された後、ステップＳ０３Ａにおいて、タイマをスタートさせる。タイマは、操作が受け付けられてから次の操作が受け付けられるまでの時間を計測する。次のステップＳ０４においては、操作が受け付けられたか否かを判断する。操作が受け付けられたならば処理をステップＳ０４Ａに進め、そうでなければ処理をステップＳ０５に進める。
【００７０】
ステップＳ０４Ａにおいては、タイマをリセットする。操作が受け付けられた時点で、タイマを「０」にリセットするので、操作が受け付けられてからの時間を再度計測することができる。そして、ステップＳ０５においては、ＣＭの終了を検出したか否かを判断する。ＣＭの終了を検出したならば処理をステップＳ０１に戻し、そうでなければ処理をステップＳ０４に戻す。すなわち、ＣＭが検出されてから操作を受け付けることなくＣＭが終了した場合には処理をステップＳ０１に戻す。ＣＭが検出されてから１度でも操作が受け付けられた場合は、処理をステップＳ０６に進める。
【００７１】
ステップＳ０８においては、ＣＭの終了を検出したならば処理をステップＳ０８Ａに進めるが、そうでなければ処理をステップＳ１０に進める。ステップＳ１０において操作が受け付けられると、ステップＳ１０Ａにおいて、タイマをリセットする。操作が受け付けられた時点で、タイマを「０」にリセットするので、操作が受け付けられてからの時間を再度計測することができる。そして、受け付けられた操作が戻るキーでなく（ステップＳ１１でＮＯ）、テレビジョン放送再生終了指示でもなければ（ステップＳ１２でＮＯ）、処理をステップＳ０７に戻す。
ステップＳ０８Ａにおいては、タイマ値が予め定めたしきい値Ｔを超えるか否かを判断する。タイマ値がしきい値Ｔを超える場合、換言すれば、しきい値で定める時間Ｔを超えて操作が入力されなかった場合、処理をステップＳ１３に進める。タイマ値がしきい値Ｔを超える場合は、例えば、電子メールの編集、送信、受信または閲覧処理を中断しているか、終了している場合である。この場合には、処理をステップＳ１３に進めるので、テレビジョン放送の映像信号を表示するためのウィンドウがアクティブになり、ＣＭの開始する直前に配置されていた位置にその時のサイズで表示される。このため、テレビジョンウィンドウをアクティブにすることにより、ＣＭ終了後の番組本編を見逃してしまうことがないようにすることができる。
【００７２】
一方、ユーザは、電子メールの編集、送信、受信または閲覧処理をしている最中に、しきい値Ｔを超えない間隔で操作を入力していれば、処理がステップＳ０９に進む。ステップＳ０９においては、ＣＭが終了したことをユーザに報知する。具体的には、ＣＭが終了したことを報知するための通知ウィンドウを表示装置７３に表示する。このため、ユーザは、アプリケーションプログラムを実行させ、電子メールの編集、送信、受信または閲覧処理をしている最中に、ＣＭが終了したことを知ることができる。その時、電子メールの編集、送信、受信または閲覧処理を継続したければ、そのまま作業を継続することができる。
【００７３】
図７は、ウィンドウ切り換えのタイムチャートの一例を示す第２の図である。図７を参照して、横軸に時間を表し、テレビジョン放送の映像信号を表示するためのテレビジョンウィンドウと、第１および第２アプリケーションウィンドウについて、アクティブな時間帯をハッチングで示している。
【００７４】
最初にテレビジョンウィンドウがアクティブな状態で、時刻Ｔ１にＣＭが開始する。その後、時刻Ｔ２にテレビジョンウィンドウを最小化する操作が入力されると、テレビジョンウィンドウが最小化されるとともに、その時起動している電子メールプログラムのメイン画面を表示するための第１アプリケーションウィンドウがアクティブになる。次に、時刻Ｔ３において、新規メールを作成する指示が入力されると、電子メール作成用の画面を表示するための第２アプリケーションウィンドウが表示され、アクティブになる。その後、時刻Ｔ６において電子メールの作成が終了し、その後操作が入力されない場合を示している。この場合、時刻Ｔ６から経過する操作が入力されない時間が、タイマにより計測される。その後、時刻Ｔ４において、ＣＭが終了すると、タイマ値がしきい値Ｔを超えるので、テレビジョンウィンドウがアクティブになり、最小化されていたテレビジョンウィンドウが時刻Ｔ２で表示画面に配置されていた位置にその時のサイズで表示される。
【００７５】
このため、ＣＭ終了後の番組本編を見逃してしまうことがないようにすることができる。一方、ユーザは、アプリケーションプログラムを実行させ、電子メールの編集、送信、受信または閲覧処理をしている最中に、電子メールを作成する操作を継続していれば、タイマ値がしきい値Ｔを超えることがないので、電子メールの編集、送信、受信または閲覧処理を継続することができる。この場合には、図３に示したタイムチャートと同じになる。
【００７６】
＜第２の実施の形態＞
次に第２の実施の形態におけるテレビジョン放送受信機１Ａについて説明する。図８は、第２の実施の形態におけるテレビジョン放送受信機の機能の概要を示す機能ブロック図である。図８を参照して、第２の実施の形態におけるテレビジョン放送受信機１Ａは、図１に示した第１の実施の形態におけるテレビジョン放送受信機１と異なる点は、記録部２７および再生部２９が追加された点、ＣＰＵ５１Ａに記録再生制御部５７が追加された点、およびデコード部１９Ａを変更した点である。
【００７７】
記録部２７は、ＣＰＵ５１Ａの記録再生制御部５７により制御され、記録再生制御部５７から入力される指示に従って、デマルチプレクス処理部１７から入力されるデジタルの映像データおよび音声データをＨＤＤ３１に記憶する。
【００７８】
再生部２９は、記録再生制御部５７により制御され、ＣＰＵ５１Ａから入力される指示に従って、ＨＤＤ３１に記憶されているデジタルの映像データおよび音声データを読出し、デコード部１９に出力する。
【００７９】
したがって、記録部２７おいて、テレビジョン放送に含まれる映像データと音声データとをＨＤＤ３１に記憶しつつ、再生部２９において、記録部２７によりＨＤＤ３１に記憶された映像データと音声データとを読み出すことが可能である。但し、再生部２９は、記録部２７により記憶された映像データと音声データとを読み出すので、再生部２９は、記録部２７により映像データと音声データとがＨＤＤ３１も記憶された後にそれらを読み出すので、再生部２９が読み出すタイミングは、記録部２７が記憶するタイミングよりも遅い。
【００８０】
デコード部１９Ａは、デマルチプレクス処理部１７および再生部２９それぞれから映像データおよび音声データが入力される。デコード部１９Ａは、記録再生制御部５７により制御され、デマルチプレクス処理部１７および再生部２９のいずれか一方から入力される映像データおよび音声データを復号する。また、デコード部１９Ａは、再生部２９から入力される映像データおよび音声データを復号する場合、復号した映像信号を、標準の再生速度よりも速い再生速度で出力する。例えば、映像信号からフレームを間引いて出力する。なお、上記ではデコーダ１９Ａは、復号した映像信号を標準の再生速度よりも速い再生速度で出力するものとしたが、これに代えて、復号した映像信号を標準の再生速度で出力するものであってもよい。
【００８１】
記録再生制御部５７は、記録部２７、再生部２９およびデコード部１９Ａを制御する。記録再生制御部５７は、ＣＭ検出部５９からＣＭ開始信号およびＣＭ終了信号が入力され、出力制御部６１からテレビジョンウィンドウが非アクティブになったことを示す非アクティブ信号と、テレビジョンウィンドウがアクティブになったことを示すアクティブ信号とが入力される。記録再生制御部５７は、出力制御部６１から非アクティブ信号が入力された後、ＣＭ検出部５９からＣＭ開始信号が入力されると、記録部２７に記録開始指示を出力する。また、記録再生制御部５７は、記録開始指示を出力した後、出力制御部６１からアクティブ信号が入力されると、再生部２９に再生開始を指示すると同時に、デコード部１９Ａに再生部２９が出力する映像データおよび音声データを復号する復号指示を出力する。
【００８２】
記録再生制御部５７は、復号した映像データを、標準の再生速度よりも速い再生速度で出力するようにデコード部１９Ａを制御する。記録再生制御部５７は、デコード部１９Ａが出力する映像データが、デマルチプレクス処理部１７から入力される映像データとタイミングが同じになった時点で、デコード部１９Ａにデマルチプレクス処理部１７から入力される映像データおよび音声データを復号する復号指示を出力するとともに、記録部２７および再生部２９に停止指示を出力する。デコード部１９Ａが、デマルチプレクス処理部１７から入力される映像データおよび音声データを復号する場合には、デマルチプレクス処理部１７が出力する映像データおよび音声データを記録する必要がないからである。
【００８３】
これにより、ＣＭが終了した後の番組本編の映像データがＨＤＤ３１に記録され、ユーザが戻るキーを押下したときから、ＨＤＤ３１に記録された映像データがＣＭの終了した時から倍速で再生される。このため、ＣＭ終了後の番組本編を見逃すのを防止することができる。
【００８４】
また、ＨＤＤ３１に記録された映像データが倍速で再生され、その再生がデマルチプレクス処理部１７の出力するテレビジョン放送の映像データに追いついたときに、デマルチプレクス処理部１７が出力するテレビジョン放送の映像データに切換えられる。このため、タイムラグなくテレビジョン放送の映像を再生することができる。また、再生部２９による再生がテレビジョン放送の映像データに追いついた後は、記録部２７および再生部２９を停止することができるので、消費電力を低減することができる。
【００８５】
図９は、テレビジョン放送再生処理の流れの一例を示す第３のフローチャートである。図９を参照して、図２に示したテレビジョン放送再生処理と異なる点は、ステップＳ０９の次にステップＳ２１が追加された点、ステップＳ１３に代えてステップＳ２２〜ステップＳ２４が追加された点である。以下、図２に示したテレビジョン放送再生処理と異なる点を主に説明する。
【００８６】
ステップＳ０８において、ＣＭの終了が検出されると、ステップＳ０９において、ＣＭが終了したことをユーザに報知する。その後、録画を開始し（ステップＳ２１）、処理をステップＳ１０に進める。具体的には、記録部２７に記録開始指示を出力する。これにより、デマルチプレクス処理部１７が出力する映像データと音声データとがＨＤＤ３１に記録される。
【００８７】
また、ＣＭ終了後に操作が受け付けられたと判断され（ステップＳ１０でＹＥＳ）、戻るキーを押下する操作が受け付けられたならば（ステップＳ１１でＹＥＳ）、処理はステップＳ２２に進む。ステップＳ２２においては、ステップＳ０３において記憶された表示状態を読出し、読み出した表示状態で表示装置７３にウィンドウを表示する。これにより、テレビジョンウィンドウが、ＣＭが開始する直前に配置されていた位置にその時のサイズで表示される。電子メールの編集、送信、受信または閲覧処理を中断して、テレビジョン放送の番組を視聴することを望む場合、戻るキーを押下する簡単な操作で、テレビジョンウィンドウをアクティブにすることができる。
【００８８】
ステップＳ２３においては、ＨＤＤ３１に記録された映像を再生する。具体的には、再生部２９に再生指示を出力する。これにより、ＣＭが開始してからの映像がテレビジョンウィンドウに表示される。このため、ＣＭが開始してから戻るキーを押下するまでの映像を見逃すことがなくなる。この場合の録画再生は、倍速再生なのでテレビジョン放送の映像と録画再生している映像との時間差が徐々に短くなる。ステップＳ２４においては、テレビジョン放送の映像と録画再生している映像との時間差が「０」になったか否かを判断する。時間差が「０」ならば処理をステップＳ０１に戻し、そうでなければ処理をステップＳ２３に戻す。
【００８９】
図１０は、ウィンドウ切り換えのタイムチャートの一例を示す第３の図である。図１０を参照して、横軸に時間を表し、テレビジョン放送の映像信号を表示するためのテレビジョンウィンドウと、第１および第２アプリケーションウィンドウと、通知ウィンドウとについて、アクティブな時間帯をハッチングで示している。
【００９０】
最初にテレビジョンウィンドウがアクティブな状態で、時刻Ｔ１にＣＭが開始する。その後、時刻Ｔ２にテレビジョンウィンドウを最小化する操作が入力されると、テレビジョンウィンドウが最小化されるとともに、その時起動している電子メールプログラムのメイン画面を表示するための第１アプリケーションウィンドウがアクティブになる。次に、時刻Ｔ３において、新規メールを作成する指示が入力されると、電子メール作成用の画面を表示するための第２アプリケーションウィンドウが表示され、アクティブになる。その後、時刻Ｔ４においてＣＭが終了すると、コマーシャルの終了を通知するための通知ウィンドウがポップアップ表示されるとともに、テレビジョン放送の映像データおよび音声データの記録が開始される。その後、ユーザが時刻Ｔ７で戻るキーを押下すれば、テレビジョンウィンドウがアクティブになり、最小化されていたテレビジョンウィンドウが時刻Ｔ２で表示画面に配置されていた位置にその時のサイズで表示される。このとき、録画された映像データおよび音声データが再生されるので、テレビジョンウィンドウには、ＣＭが終了した後の映像が表示される。また、時刻Ｔ７において通知ウィンドウを閉じる。テレビジョンウィンドウがアクティブになった後は、表示しておく必要がないからである。
【００９１】
戻るキーを押下すれば、録画された映像がＣＭ終了時から再生されるので、ＣＭが終了してから戻るキーを押下するまでの間の番組本編を見逃してしまうことがないようにすることができる。
【００９２】
＜第１の変形例＞
第２の実施の形態におけるテレビジョン放送受信機１Ａにおいても、第１の実施の形態におけるテレビジョン放送受信機１の変形例と同様に、ＣＭの開始後、電子メール操作が所定時間Ｔ以上されなかった場合に、自動的にテレビジョンウィンドウをアクティブにするようにすることができる。
【００９３】
図１１は、テレビジョン放送再生処理の流れの一例を示す第４のフローチャートである。図１１を参照して、図６に示したテレビジョン放送再生処理と異なる点は、ステップＳ０９の次にステップＳ２１が追加された点、ステップＳ１３に代えてステップＳ２２〜ステップＳ２４が追加された点である。以下、図２に示したテレビジョン放送再生処理と異なる点を主に説明する。ステップＳ２１、ステップＳ２２〜ステップＳ２４それぞれで実行される処理については、上述したのと同じなのでここでは説明を繰り返さない。
【００９４】
第１の変形例においては、ＣＭが開始してアプリケーションプログラムに対する操作がされた後、継続して時間Ｔの間操作が入力されなければ、テレビジョン放送の映像を表示するためのテレビジョンウィンドウが自動的にアクティブになる。この場合のタイムチャートは、図７に示したのと同じである。一方、アプリケーションプログラムに対する操作が継続してされる場合は、戻るキーが押下された時点でテレビジョン放送の映像を表示するためのテレビジョンウィンドウが自動的にアクティブになる。この場合のタイムチャートは、図１０に示したのと同じである。いずれの場合においても、テレビジョン放送の映像は、ＣＭが終了した時点から再生されるので、ユーザはテレビジョン放送の番組本編を見逃すことがない。また、ＣＭ中にアプリケーションプログラムに対する操作、ここでは電子メールの作成等をすることができるので、ＣＭ期間を有効に利用することができる。
【００９５】
＜第２の変形例＞
ＣＭを検出する際に、実際にＣＭが開始された時、またはＣＭが終了した時よりも後で、ＣＭ開始時刻とＣＭ終了時刻とを検出する場合がある。例えば、本願の出願人が出願した特願２００６−０７７８４１号は、ＣＭの前後に存在する無音期間を検出することで、ＣＭを検出する技術を開示している。この場合、ＣＭの開始時刻または終了時刻が、実際にＣＭが開始または終了した時よりも後で検出される。このため、ＣＭが終了したことを検出した後に録画再生してもＣＭの終了時点から番組本編の映像を録画することができない。この場合、ＣＭの開始を検出した時点で録画を開始するようにすればよい。ＣＭを録画することになるが、ＣＭが終了した後の番組本編の映像が録画されるので、ＣＭが終了した後から番組本編の映像を再生することができる。
【００９６】
第２の変形例においては、ＣＭ検出部５９が出力するＣＭ開始信号はＣＭ開始時刻を含み、ＣＭ終了信号はＣＭ終了時刻を含む。
【００９７】
図１２は、テレビジョン放送再生処理の流れの一例を示す第５のフローチャートである。図１２を参照して、図９に示したテレビジョン放送再生処理と異なる点は、ステップＳ２１に代えて、ステップＳ２１ＡがステップＳ０３と、ステップＳ０４との間に追加された点である。
【００９８】
図１３は、ウィンドウ切り換えのタイムチャートの一例を示す第４の図である。図１２を参照して、横軸に時間を表し、テレビジョン放送の映像信号を表示するためのテレビジョンウィンドウと、第１および第２アプリケーションウィンドウと、通知ウィンドウとについて、アクティブな時間帯をハッチングで示している。
【００９９】
最初にテレビジョンウィンドウがアクティブな状態で、時刻Ｔ１にＣＭが開始する。その後、時刻Ｔ２にテレビジョンウィンドウを最小化する操作が入力されると、テレビジョンウィンドウが最小化されるとともに、その時起動している電子メールプログラムのメイン画面を表示するための第１アプリケーションウィンドウがアクティブになる。また、ＣＭの開始が検出される時刻ＴＳにテレビジョン放送の映像データおよび音声データの記録を開始する。なお、テレビジョン放送の映像データおよび音声データの記録を開始するタイミングを、テレビジョンウィンドウが最小化される時刻Ｔ２としてもよい。
【０１００】
次に、時刻Ｔ３において、新規メールを作成する指示が入力されると、電子メール作成用の画面を表示するための第２アプリケーションウィンドウが表示され、アクティブになる。その後、時刻Ｔ４においてＣＭが終了するが、そのＣＭの終了は時刻ＴＥで検出される。従って、時刻ＴＥにおいて、コマーシャルの終了を通知するための通知ウィンドウがポップアップ表示される。その後、ユーザが時刻Ｔ７で戻るキーを押下すれば、テレビジョンウィンドウがアクティブになり、最小化されていたテレビジョンウィンドウが時刻Ｔ２で表示画面に配置されていた位置にその時のサイズで表示される。このとき、録画された映像データおよび音声データが時刻Ｔ４において記録した時点から再生される。このため、テレビジョンウィンドウには、ＣＭが終了した後の映像が表示される。また、時刻Ｔ７において通知ウィンドウを閉じる。テレビジョンウィンドウがアクティブになった後は、表示しておく必要がないからである。
【０１０１】
ＣＭの終了時刻が、実際にＣＭが終了した時よりも後で検出される場合であっても、戻るキーを押下すれば、ＣＭ終了時から録画された映像が再生されるので、ＣＭが終了してから戻るキーを押下するまでの間の番組本編を見逃してしまうことがないようにすることができる。このため、ＣＭ期間を有効に利用することができる。
【０１０２】
＜第３の変形例＞
上述した第２の変形例におけるテレビジョン放送受信機１は、戻るキーの押下によりテレビジョンウィンドウをアクティブにするようにしたが、第３の変形例におけるテレビジョン放送受信機１は、ＣＭの開始後、電子メール操作が所定時間Ｔ以上されなかった場合に、自動的にテレビジョンウィンドウをアクティブにするようにする。所定時間Ｔ以上操作がなければ、電子メールプログラムにより実行される処理、例えば電子メールを作成する処理が終了しているか、またはその処理が中断しているものと考えられる。このような場合に、テレビジョンウィンドウをアクティブにすることにより、番組本編を見逃してしまうことがないようにすることができる。
【０１０３】
図１４は、テレビジョン放送再生処理の流れの一例を示す第６のフローチャートである。図１４を参照して、図１１に示したテレビジョン放送再生処理と異なる点は、ステップＳ２１に代えて、ステップＳ２１ＡがステップＳ０３Ａと、ステップＳ０４との間に追加された点である。
【０１０４】
図１５は、ウィンドウ切り換えのタイムチャートの一例を示す第５の図である。図１５を参照して、横軸に時間を表し、テレビジョン放送の映像信号を表示するためのテレビジョンウィンドウと、第１および第２アプリケーションウィンドウとについて、アクティブな時間帯をハッチングで示している。
【０１０５】
最初にテレビジョンウィンドウがアクティブな状態で、時刻Ｔ１にＣＭが開始する。その後、時刻Ｔ２にテレビジョンウィンドウを最小化する操作が入力されると、テレビジョンウィンドウが最小化されるとともに、その時起動している電子メールプログラムのメイン画面を表示するための第１アプリケーションウィンドウがアクティブになる。また、ＣＭの開始が検出される時刻ＴＳにテレビジョン放送の映像データおよび音声データの記録を開始する。なお、テレビジョン放送の映像データおよび音声データの記録を開始するタイミングを、テレビジョンウィンドウが最小化される時刻Ｔ２としてもよい。
【０１０６】
次に、時刻Ｔ３において、新規メールを作成する指示が入力されると、電子メール作成用の画面を表示するための第２アプリケーションウィンドウが表示され、アクティブになる。その後、時刻Ｔ６において電子メールの作成が終了し、その後操作が入力されない場合を示している。この場合、時刻Ｔ６から経過する操作が入力されない時間が、タイマにより計測される。その後、時刻ＴＥにおいて、ＣＭが終了したことが検出される時点でタイマ値がしきい値Ｔを超えるので、テレビジョンウィンドウがアクティブになり、最小化されていたテレビジョンウィンドウが時刻Ｔ２で表示画面に配置されていた位置にその時のサイズで表示される。このとき、録画された映像データおよび音声データは、ＣＭが終了した時刻Ｔ４で記録した時点から再生される。このため、テレビジョンウィンドウには、ＣＭが終了した後の映像が表示される。
【０１０７】
第３の変形例におけるテレビジョン放送受信機１Ａによれば、ＣＭ開始時刻ＴＳ（または電子メールに対する操作時Ｔ２）から映像が録画され、所定期間Ｔ操作が入力されることなくＣＭの終了が検出された時ＴＥに、録画された映像がＣＭ終了時から再生される。このため、ＣＭ検出部５９がＣＭの終了を検出する時刻が、実際にＣＭが終了した時（ＣＭ終了時刻）よりも後であっても、実際にＣＭが終了してからＣＭ検出部５９がＣＭの終了を検出するまでの間の番組本編を見逃してしまうことがないようにすることができる。このため、ＣＭ期間を有効に利用することができる。
【０１０８】
＜第３の実施の形態＞
図１６は、第３の実施の形態におけるテレビジョン放送受信機１Ｂの機能の概要を示す機能ブロック図である。図１６を参照して、図８に示した第２の実施の形態におけるテレビジョン放送受信機１Ａと異なる点は、受信・再生部１０と同じ構成のサブ受信・再生部１０Ａを有し、ＣＰＵ５１Ａにおいて、メイン処理部６５およびウィンドウ制御部６３が削除され、出力制御部６１Ａが変更された点である。
【０１０９】
第１および第２の実施の形態におけるテレビジョン放送受信機１，１Ａは、ＣＰＵ５１がメイン処理部６５およびウィンドウ制御部６３を含み、複数のウィンドウを表示することにより、受信・再生部１０およびメイン処理部６５それぞれが出力する映像を表示装置７３に同時に表示するものであった。これに対して、第３の実施の形態におけるテレビジョン放送受信機１Ｂは、受信・再生部１０およびサブ受信・再生部１０Ａのいずれか一方が出力する映像を表示装置７３に表示する。
【０１１０】
出力制御部６１Ａは、映像出力部２１を制御して、受信・再生部１０およびサブ受信・再生部１０Ａそれぞれが出力する映像のいずれか一方を表示装置７３に表示する。映像出力部２１は、映像を表示するための映像信号を表示装置７３に出力する。具体的には、出力制御部６１は、ＣＭ検出部５９からＣＭ開始信号およびＣＭ終了信号が入力され、操作受付部５５からユーザによる操作が入力される。出力制御部６１は、映像出力部２１を制御して受信・再生部１０により再生されたテレビジョン放送の映像を表示装置７３に表示しているとき、ＣＭ開始信号が入力されると、その後操作受付部５５からテレビジョン放送のチャンネルを切換える操作が入力されたか否かを判断する。チャンネルを切換える操作は、ユーザが入力装置６７のチャンネルボタンを押下することにより操作受付部５５で受け付けられ、チューナ制御部５３および出力制御部６１Ａに出力される。
【０１１１】
チューナ制御部５３は、操作受付部５５により受け付けられたチャンネルの周波数を受信するようにサブ受信・再生部１０Ａを制御する。出力制御部６１は、映像出力部２１にサブ受信・再生部１０Ａが出力する映像信号および音声信号をＤ／Ａ変換して表示装置７３に出力するよう指示する。このため、受信・再生部１０が受信するチャンネルのテレビジョン放送の番組においてＣＭが開始した後にチャンネルが切換えられた場合は、サブ受信・再生部１０Ａが受信するチャンネルの番組の映像が表示装置７３に表示される。この場合、受信・再生部１０においては、それまで受信していたチャンネルのテレビジョン放送が継続して受信される。
【０１１２】
出力制御部６１Ａは、ＣＭ開始信号が入力された後に操作受付部５５からチャンネルを切換える操作が入力されると、その後ＣＭ終了信号が入力された時点で、ＣＭが終了したことを報知するためのメッセージを表示装置７３に表示する。例えば、ＯＳＤでメッセージを表示装置７３に表示する。このため、ユーザは、視聴していたテレビジョン放送が番組本編からＣＭに切換わった後、別のテレビジョン放送の番組を視聴する場合であっても、それまで見ていたテレビジョン放送のＣＭが終了したことを知ることができる。また、その時、切換え後の別のチャンネルのテレビジョン放送の番組の視聴を希望する場合には、そのまま視聴を継続することができる。一方、チャンネルを切換える前に視聴していたテレビジョン放送の番組を視聴することを望むならば、戻るキーを押下する操作を入力装置６７に入力すればよい。
【０１１３】
第３の実施の形態におけるテレビジョン放送受信機１Ｂは、図２、図６、図９、図１１、図１２および図１４に示したテレビジョン受信処理を実行する。この場合、ステップＳ０６において、受け付けられた操作が電子メールに関する操作か否かを判断するのに変えて、チャンネルが切換えられたか否かを判断する。チャンネルが切換えられた場合に処理をステップＳ０７に進め、そうでなければ処理をステップＳ０５に進めるようにすればよい。
なお、第３の実施の形態においては、ＣＭ中にチャンネルが切換えられた後、戻るキーを押下する操作が入力装置６７に入力されると、チャンネルが切換えられたときにＣＭ中であったチャンネルが表示されることになるが、戻るキーを押下する操作が入力装置６７に入力された後に表示するチャンネルを次に挙げるチャンネルとしてもよい。
（１）  入力装置６７のリモートコントローラに戻ってくるチャンネルを指定するためのボタン（「しおりボタン」と呼ぶ）を用意しておき、しおりボタンが押された時に表示していたチャンネル。例えば、戻したい番組視聴中にしおりボタンを押してから他チャンネルの視聴を開始する。その後、戻るキーを押下する操作が入力装置６７に入力されると、しおりボタンが押された時に表示されていたチャンネルを表示する。
（２）  テレビの電源をつけてから視聴者が見た時間が最も長いチャンネル。
（３）  所定時間を超えて表示されたチャンネルのうち、最も後に表示されたチャンネル。所定時間は、視聴者が番組を集中して見ている最低時間であり、予め決められる。
（４）  チャンネル切り替え時にＣＭに入っていたチャンネルの中で、最初に表示されていたチャンネル。
（５）  視聴予約されている番組のチャンネル。
【０１１４】
＜第４の実施の形態＞
図１７は、第４の実施の形態におけるテレビジョン放送受信機１Ｃの機能の概要を示す機能ブロック図である。図１７を参照して、図１６に示した第３の実施の形態におけるテレビジョン放送受信機１Ｂと異なる点は、サブ受信・再生部１０Ａに代えて、録画再生部１０Ｂを有する点である。第５の実施の形態におけるテレビジョン放送受信機１Ｃは、受信・再生部１０および録画再生部１０Ｂのいずれか一方が出力する映像を表示装置７３に表示する。
【０１１５】
録画再生部１０Ｂは、デスクランブル処理部１５Ｂと、デマルチプレクス処理部１７Ｂと、デコード部１９Ｂと、を含む。デスクランブル処理部１５Ｂは、カードＩ／Ｆ２３と接続されており、操作受付部５５から映像コンテンツを再生する指示が入力されると、カードＩ／Ｆ２３にＩＣカード２５に記憶された映像コンテンツを読み取らせ、映像コンテンツを受け取る。映像コンテンツは、符号化信号であり、スクランブルされている。デスクランブル処理部１５Ｂは、カードＩ／Ｆ２３から入力される映像コンテンツを、所定の規則に従ってスクランブルを解除する。そして、スクランブルが解除された映像コンテンツをデマルチプレクス処理部１７Ｂに出力する。デマルチプレクス処理部１７Ｂおよびデコード部１９Ｂは、上述したそれと同じなのでここでは説明を繰り返さない。なお、ここでは録画再生部１０Ｂが、ＩＣカード２５に記録された映像コンテンツを再生する例をしめすが、録画再生部１０Ｂは、ＤＶＤ等の光ディスクに記録された映像コンテンツを再生してもよい。
【０１１６】
出力制御部６１Ａは、映像出力部２１を制御して、受信・再生部１０および録画再生部１０Ｂそれぞれが出力する映像のいずれか一方を表示装置７３に表示する。映像出力部２１は、映像を表示するための映像信号を表示装置７３に出力する。具体的には、出力制御部６１は、ＣＭ検出部５９からＣＭ開始信号およびＣＭ終了信号が入力され、操作受付部５５からユーザによる操作が入力される。出力制御部６１は、映像出力部２１を制御して受信・再生部１０により再生されたテレビジョン放送の映像を表示装置７３に表示しているとき、ＣＭ開始信号が入力されると、その後操作受付部５５から映像コンテンツを再生するための操作が入力されたか否かを判断する。映像コンテンツを再生するための操作は、ユーザが入力装置６７に予め設けられたコンテンツ再生ボタンを押下することにより操作受付部５５で受け付けられる。操作受付部５５に映像コンテンツを再生するための操作が入力されると、出力制御部６１は、映像出力部２１に録画再生部１０Ｂが出力する映像信号をＤ／Ａ変換して表示装置７３に出力するよう指示する。このため、受信・再生部１０が受信するチャンネルのテレビジョン放送の番組においてＣＭが開始した後にコンテンツ再生指示が入力された場合は、録画再生部１０Ｂが出力する映像信号をアナログ変換した映像が表示装置７３に表示される。この場合、受信・再生部１０においては、それまで受信していたチャンネルのテレビジョン放送が継続して受信される。
【０１１７】
出力制御部６１は、ＣＭ開始信号が入力された後に操作受付部５５からコンテンツを再生する操作が入力されると、その後ＣＭ終了信号が入力された時点で、ＣＭが終了したことを報知するためのメッセージを表示する。例えば、ＯＳＤでメッセージを表示装置７３に表示する。このため、ユーザは、視聴していたテレビジョン放送が番組本編からＣＭに切換わった後、ＩＣカード２５に記憶されている映像コンテンツを視聴する場合であっても、それまで見ていたテレビジョン放送のＣＭが終了したことを知ることができる。また、その時、ユーザが、ＩＣカード２５に記憶されている映像コンテンツの視聴を希望する場合には、そのまま視聴を継続することができる。一方、テレビジョン放送の番組を視聴することを望むならば、戻るキーを押下する操作を入力装置６７に入力すればよい。
【０１１８】
第４の実施の形態におけるテレビジョン放送受信機１Ｃは、図２、図６、図９、図１１、図１２および図１４に示したテレビジョン受信処理を実行することができる。この場合、ステップＳ０６において、受け付けられた操作が電子メールに関する操作か否かを判断するのに代えて、コンテンツ再生指示が受け付けられたか否かを判断する。ＩＣカード２５に記憶された映像コンテンツを再生する指示が入力された場合に処理をステップＳ０７に進め、そうでなければ処理をステップＳ０５に進めるようにすればよい。
【０１１９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１２０】
＜付記＞
（１）  前記処理実行手段は、アプリケーションプログラムを実行する処理実行手段を含む、請求項１または３に記載のテレビジョン受信機。
（２）  前記処理実行手段は、記録された映像を読出し、再生するサブ録画再生手段を含む、請求項１または３に記載のテレビジョン受信機。
（３）  前記映像を表示するための映像信号を出力する映像信号出力手段をさらに備え、
前記処理実行手段は、テレビジョン放送を受信し、再生し、
前記検出手段は、前記再生手段により再生されるテレビジョン放送に含まれるコマーシャルを検出し、
前記映像信号出力手段は、前記再生手段により再生されたテレビジョン放送の映像を表示するための映像信号を出力しているときに前記操作受付手段によりチャンネルの切換指示が受け付けられた場合、前記処理実行手段により再生されたテレビジョン放送の映像を表示するための映像信号を出力し、
前記報知手段は、前記検出手段により検出されたコマーシャルの開始から終了までの間に、前記操作受付手段によりチャンネルの切換指示が受け付けられた場合、前記検出手段により検出されたコマーシャルが終了したときに該コマーシャルが終了したことを報知する、請求項１に記載のテレビジョン受信機。
（４）  前記処理実行手段は、テレビジョン放送を受信し、再生し、
前記検出手段は、前記再生手段により再生されるテレビジョン放送に含まれるコマーシャルを検出し、
前記映像信号出力手段は、前記再生手段により再生されたテレビジョン放送の映像を表示するための映像信号を出力しているときに前記操作受付手段によりチャンネルの切換指示が受け付けられた場合、前記処理実行手段により再生されたテレビジョン放送の映像を表示するための映像信号を出力し、
前記復帰手段は、前記検出手段により検出されたコマーシャルの開始から終了までの間に前記操作受付手段により前記処理実行手段に対する操作が受け付けられ、その後、前記操作受付手段により所定時間を越えて前記処理実行手段に対する操作が受け付けられることなく、前記検出手段により検出されたコマーシャルが終了した場合、前記再生手段により再生されたテレビジョン放送の映像を表示するための映像信号を前記映像信号出力手段に出力させる、請求項３に記載のテレビジョン放送受信装置。
【図面の簡単な説明】
【０１２１】
【図１】本発明の第１の実施の形態におけるテレビジョン放送受信機の機能の概要を示す機能ブロック図である。
【図２】テレビジョン放送再生処理の流れの一例を示す第１のフローチャートである。
【図３】ウィンドウ切り換えのタイムチャートの一例を示す第１の図である。
【図４】表示画面の一例を示す図である。
【図５】テレビジョンウィンドウがアクティブでない場合の表示画面の別の一例を示す図である。
【図６】テレビジョン放送再生処理の流れの一例を示す第２のフローチャートである。
【図７】ウィンドウ切り換えのタイムチャートの一例を示す第２の図である。
【図８】第１の実施の形態におけるテレビジョン放送受信機の機能の概要を示す機能ブロック図である。
【図９】テレビジョン放送再生処理の流れの一例を示す第３のフローチャートである。
【図１０】ウィンドウ切り換えのタイムチャートの一例を示す第３の図である。
【図１１】テレビジョン放送再生処理の流れの一例を示す第４のフローチャートである。
【図１２】テレビジョン放送再生処理の流れの一例を示す第５のフローチャートである。
【図１３】ウィンドウ切り換えのタイムチャートの一例を示す第４の図である。
【図１４】テレビジョン放送再生処理の流れの一例を示す第６のフローチャートである。
【図１５】ウィンドウ切り換えのタイムチャートの一例を示す第５の図である。
【図１６】第３の実施の形態におけるテレビジョン放送受信機１Ｂの機能の概要を示す機能ブロック図である。
【図１７】第４の実施の形態におけるテレビジョン放送受信機１Ｃの機能の概要を示す機能ブロック図である。
【符号の説明】
【０１２２】
１，１Ａ，１Ｂ，１Ｃ  テレビジョン放送受信機、１０  受信・再生部、１０Ａ  サブ受信・再生部、１０Ｂ  録画再生部、１１  チューナ、１３  復調部、１５，１５Ｂ  デスクランブル処理部、１７，１７Ｂ  デマルチプレクス処理部、１９，１９Ａ，１９Ｂ  デコード部、２１，２１Ａ  映像出力部、２３  カードＩ／Ｆ、２５  ＩＣカード、２７  記録部、２９  再生部、５１  ＣＰＵ、５３  チューナ制御部、５５  操作受付部、５７  記録再生制御部、５９  検出部、６１，６１Ａ  出力制御部、６３  ウィンドウ制御部、６５  メイン処理部、６７  入力装置、７１  音声出力部、７３  表示装置、７５  スピーカ。
【図１】
2008311692.tif 000003
【図２】
2008311692.tif 000004
【図３】
2008311692.tif 000005
【図４】
2008311692.tif 000006
【図５】
2008311692.tif 000007
【図６】
2008311692.tif 000008
【図７】
2008311692.tif 000009
【図８】
2008311692.tif 000010
【図９】
2008311692.tif 000011
【図１０】
2008311692.tif 000012
【図１１】
2008311692.tif 000013
【図１２】
2008311692.tif 000014
【図１３】
2008311692.tif 000015
【図１４】
2008311692.tif 000016
【図１５】
2008311692.tif 000017
【図１６】
2008311692.tif 000018
【図１７】
2008311692.tif 000019